(57)【特許請求の範囲】
【請求項１】
画像データを入力し、所定の方法により対象画像を複数の領域に分割する領域分割処理部と、
予め定められた標準図形の形状と位置と角度とを調整して前記標準図形を変形移動することにより前記複数の領域にそれぞれ外接する複数の領域外接図形を生成し、前記複数の領域を前記複数の領域外接図形にそれぞれ置換する図形置換処理部と、
前記複数の領域外接図形のそれぞれに所定の表示属性を設定する表示属性設定部と、
前記複数の領域外接図形の面積の大きい順に表示順序番号を付与し、前記複数の領域外接図形の表示順序番号、位置、大きさ、及び前記表示属性に関する情報からなる変換図形データを生成する図形順序付け制御部と、
を備えたことを特徴とする画像変換装置。
【請求項２】
請求項１に記載の画像変換装置によって生成された変換図形データを入力し、表示順序番号が小さい前記領域外接図形が、表示順序番号の大きな前記領域外接図形の背景として表示されるよう、前記複数の領域外接図形を表示順序番号が小さいものから大きいものへと順に手前に重ねて表示させる図形表示制御部を備えたことを特徴とする画像表示装置。
【請求項３】
請求項１に記載の画像変換装置と、変換図形データを送信する送信制御手段とを有する画像管理装置と、
前記変換図形データを受信する受信制御部部と、請求項２に記載の画像表示装置とを有する端末とを備えたことを特徴とする画像伝送システム。
【請求項４】
画像データを入力し、所定の方法により対象画像を複数の領域に分割する領域分割処理工程と、
予め定められた標準図形の形状と位置と角度とを調整して前記標準図形を変形移動することにより前記複数の領域にそれぞれ外接する複数の領域外接図形を生成し、前記複数の領域を前記複数の領域外接図形にそれぞれ置換する図形置換処理工程と、
前記複数の領域外接図形のそれぞれに所定の表示属性を設定する表示属性設定工程と、
前記複数の領域外接図形の面積の大きい順に表示順序番号を付与し、前記複数の領域外接図形の表示順序番号、位置、大きさ、及び前記表示属性に関する情報からなる変換図形データを生成する図形順序付け制御工程と、
を備えたことを特徴とする画像変換方法。
【請求項５】
請求項４に記載の画像変換方法に、さらに、
変換図形データを所定の端末に対して送信する送信制御工程と、
前記端末において、前記変換図形データに基づき、表示順序番号が小さい前記領域外接図形が、表示順序番号の大きな前記領域外接図形の背景として表示されるよう、前記複数の各領域外接図形を表示順序番号が小さいものから大きいものへと順に手前に重ねて表示させる図形表示制御工程とを備えたことを特徴とする画像伝送方法。
【請求項６】
画像データを入力し、所定の方法により対象画像を複数の領域に分割する領域分割処理ステップと、
予め定められた標準図形の形状と位置と角度とを調整して前記標準図形を変形移動することにより前記複数の領域にそれぞれ外接する複数の領域外接図形を生成し、前記複数の領域を前記複数の領域外接図形にそれぞれ置換する図形置換処理ステップと、
前記複数の領域外接図形のそれぞれに所定の表示属性を設定する表示属性設定ステップと、
前記複数の領域外接図形の面積の大きい順に表示順序番号を付与し、前記複数の領域外接図形の表示順序番号、位置、大きさ、及び前記表示属性に関する情報からなる変換図形データを生成する図形順序付け制御ステップと、
をコンピュータに実行させるための画像変換プログラム。
【請求項７】
請求項６に記載の画像変換プログラムを実行することにより生成された変換図形データに基づいて、表示順序番号が小さい前記領域外接図形が、表示順序番号の大きな前記領域外接図形の背景として表示されるよう、前記複数の領域外接図形を表示順序番号が小さいものから大きいものへと順に手前に重ねて表示させる図形表示制御ステップをコンピュータに実行させるための画像表示プログラム。
【発明の詳細な説明】
【０００１】
【発明の属する技術分野】
この発明は、デジタル写真などの画像データの変換処理に関するものであり、特に、記憶容量の少ない携帯情報端末等に対して送信される画像データのデータ量を削減する画像変換装置、変換された画像データを表示する画像表示装置、及び画像伝送システムに関する。
【０００２】
【従来の技術】
デジタル写真などの画像データに対して、画像サイズの変更や指定部分の切り出しなどの編集を行う「フォトレタッチツール」と呼ばれるユーティリティ・ソフトウェアが製品化されている。フォトレタッチツールを活用することで、以下のような方法により画像データのデータ量を圧縮、削減することができる。
（１）画像サイズの縮小
例えば、横３２０画素×縦２４０画素の画像データを、隣接する横２画素×縦２画素の４画素を単位として平均化し新たな１画素とすることにより、横１６０画素×縦１２０画素の画像データとなり、データ量は１／４に削減される。
（２）減色
画像データの各画素の色情報のデータ量を低減させることにより、表現可能な総色数を削減する。例えば、１画素毎の色情報として、Ｒ（赤）、Ｇ（緑）、Ｂ（青）の三原色を各々２５６階調（８ビット長）で表現し、全体で２４ビットのデータを用いることで約１７００万の総色数を表現できるが、１画素毎の色情報を８ビットとして総色数を２５６に制限することで、画像データのデータ量は１／３に削減される。
（３）データ圧縮
画像データの記録時に圧縮アルゴリズムを適用することによって、原画像データのデータ量（＝画像データの総画素数×各画素毎の色情報）よりデータ量が少ない圧縮画像ファイルを作成する。例えば、標準的な画像データ圧縮フォーマットの一つであるＪＰＥＧ（Joint Photographic Experts Group）により画像データを圧縮画像ファイルに記録すると、データ量は非圧縮時の原画像データと比較して１／５〜１／７程度に削減される。
【０００３】
【発明が解決しようとする課題】
従来のフォトレタッチツールを用いたデータ量の削減方法では、画像サイズの縮小及び減色を行うと、データ量削減後に画質が劣化する。画像サイズの縮小率を高めたり総色数を小さく制限することにより、データ量の削減効果は大きくなるが、データ量削減に伴って画質劣化も大きくなる。従って、例えば携帯情報端末等の小さな表示画面上で対象画像を明確に把握可能とするためには、画像サイズの縮小及び減色によるデータ量の削減には制限があるといった課題があった。
【０００４】
また、画像圧縮アルゴリズムの適用により、画像データの記録時及び転送時にデータ量を削減できるが、画像データを画面上に表示する際には、圧縮画像ファイルを原画像データ（各画素毎の色情報）に展開する必要があるため、画像表示に要する記憶容量を削減することはできないといった課題があった。
さらに、携帯情報端末等ではＣＰＵの演算処理能力に制限があるため、圧縮画像ファイルの展開に要する演算処理が高速に行えないといった課題があった。
【０００５】
本発明は、上記のような課題を解決するためになされたもので、携帯情報端末等の小さな表示画面上でも対象画像を明確に把握可能としつつ、画像データのデータ量を大幅に削減可能な画像変換装置、画像表示装置、画像伝送システム、画像変換方法、画像伝送方法、画像変換処理プログラム、及び画像表示プログラムを得ることを目的としている。
【０００６】
【課題を解決するための手段】
前記の課題を解決し、目的を達成するために、本発明に係る画像変換装置にあっては、画像データを入力し、所定の方法により対象画像を複数の領域に分割する領域分割処理部と、前記各領域をそれぞれ予め定められた標準図形に置換する図形置換処理部と、前記各標準図形について所定の表示属性を設定する表示属性設定部と、前記各標準図形に対し面積の大きい順に表示順序番号を付与し、各標準図形の表示順序番号、位置、大きさ、及び前記表示属性に関する情報からなる変換図形データを生成する、図形順序付け制御部とを備える。
【０００７】
次の発明に係る画像表示装置にあっては、前記段落［０００６］に記載の画像変換装置によって生成された変換図形データを入力し、表示順序番号が小さい標準図形が、表示順序番号の大きな標準図形の背景として表示されるよう、各標準図形を表示順序番号が小さいものから大きいものへと順に手前に重ねて表示させる図形表示制御部を備える。
【０００８】
次の発明に係る画像伝送システムにあっては、前記段落［０００６］に記載の画像変換装置と、変換図形データを送信する送信制御手段とを有する、画像管理装置と、前記変換図形データを受信する受信制御部部と、前記段落［０００７］に記載の画像表示装置とを有する、端末とを備えたことを特徴とする、画像伝送システム。
【０００９】
次の発明に係る画像変換方法にあっては、画像データを入力し、所定の方法により対象画像を複数の領域に分割する領域分割処理工程と、前記各領域をそれぞれ予め定められた標準図形に置換する図形置換処理工程と、前記各標準図形について所定の表示属性を設定する表示属性設定工程と、前記各標準図形に対し面積の大きい順に表示順序番号を付与し、各標準図形の表示順序番号、位置、大きさ、及び前記表示属性に関する情報からなる変換図形データを生成する、図形順序付け制御工程とを備える。
【００１０】
次の発明に係る画像伝送方法にあっては、前記段落［０００９］に記載の画像変換方法に、さらに、変換図形データを所定の端末に対して送信する送信制御工程と、前記端末において、前記変換図形データに基づき、表示順序番号が小さい標準図形が、表示順序番号の大きな標準図形の背景として表示されるよう、各標準図形を表示順序番号が小さいものから大きいものへと順に手前に重ねて表示させる図形表示制御工程とを備える。
【００１１】
次の発明に係る画像変換プログラムにあっては、画像データを入力し、所定の方法により対象画像を複数の領域に分割する領域分割処理ステップと、前記各領域をそれぞれ予め定められた標準図形に置換する図形置換処理ステップと、前記各標準図形について所定の表示属性を設定する表示属性設定ステップと、前記各標準図形に対し面積の大きい順に表示順序番号を付与し、各標準図形の表示順序番号、位置、大きさ、及び前記表示属性に関する情報からなる変換図形データを生成する図形順序付け制御ステップとを、コンピュータに実行させる。
【００１２】
次の発明に係る画像表示プログラムにあっては、前記段落［００１１］に記載の画像変換プログラムを実行することにより生成された変換図形データに基づいて、表示順序番号が小さい標準図形が、表示順序番号の大きな標準図形の背景として表示されるよう、各標準図形を表示順序番号が小さいものから大きいものへと順に手前に重ねて表示させる図形表示制御ステップを、コンピュータに実行させる。
【００１３】
【発明の実施の形態】
実施の形態１．
図１は、本発明の実施の形態１の画像変換装置の構成図である。図１において、１０は原画像データを入力し画像変換処理を行って変換後の画像データ（以下、変換図形データと呼ぶ）を出力する画像変換装置、１は原画像データをクラスタリング処理して複数の領域に分割する領域分割処理部、２は分割された各領域をそれぞれ所定の標準図形に置換する図形置換処理部、３は各標準図形に対して表示属性を設定する表示属性設定部、４は各標準図形に表示のための順序付けを行う図形順序付け制御部である。
【００１４】
上記の通り構成される画像変換装置の動作を図面に従って説明する。
図２は、本実施の形態１で説明に用いる原画像データの例を示した説明図である。図２の原画像データには、４つの窓を持つ建造物の正面像が表示されている。該原画像データの画像サイズは横５９画素×縦６４画素であり、各画素毎の色情報のデータ長は２４ビットであるものとする。従って、この画像データを表示するために必要な記憶容量は、５９×６４×２４＝９０６２４ビット（１１３２８バイト）である。
【００１５】
なお色情報の２４ビットは、８ビットずつ各原色（Ｒ、Ｇ、Ｂ）の階調値（０〜２５５）を表わす値であり、例えば、Ｒ＝２５５、Ｇ＝２５５、Ｂ＝０の場合（以下、［255,255,0］と記述する）は、該画素の色は黄色となる。
【００１６】
また横方向をＸ座標、縦方向をＹ座標と規定し、原画像データの左上の画素を原点(0,0)として、各画素の位置情報を定義する。
【００１７】
まず領域分割処理部１は、図２に示す原画像データを入力し、例えば「堀田裕弘、宮原誠、小谷一孔：“均等色空間に基づくカラー画像の領域分割”、電子情報通信学会論文誌、D-II、Vol. J74-D-II、No.10、pp.1370-1378 (1991.10)」に記載された「クラスタリング処理」と呼ばれる方法により、各画素間の色差に基づいて、原画像データの対象画像を複数の領域に分割する。
【００１８】
図３は、クラスタリング処理によって領域分割した結果を示した模式図である。クラスタリング処理による領域分割処理の結果、原画像データの対象画像は、全２１個の領域３０１〜３２１に分割される。ここで領域３１０、３１１、３１２、３１５、３１７、３１９は１画素で構成され、領域３１３は２画素で構成される。
【００１９】
図形置換処理部２には、標準図形として矩形の図形データが予め保存されている。図形置換処理部２は、標準図形の幅、高さ、大きさ、座標軸に対する角度、及び座標位置を調整して、前記各領域３０１〜３２１にそれぞれ外接する複数の標準図形を作成し、各領域３０１〜３２１を標準図形に置換する。
【００２０】
この際、図形置換処理部２は各領域３０１〜３２１の画素数をカウントし、画素数が予め定められた閾値Ｎ未満の領域を、標準図形への置換処理の対象から除外する。例えば、閾値Ｎ＝３画素であった場合、１画素の領域３１０、３１１、３１２、３１５、３１７、３１９と２画素の領域３１３は、標準図形への置換処理は行われない。
【００２１】
図４は、図形置換処理部２によって置換処理された各標準図形を示した模式図である。図４中、各標準図形４０１〜４０９、４１４、４１６、４１８、４２０、４２１の中央部に表示された数（例えば、標準図形４０１は「３７７６」）は、標準図形の総画素数を表わす。
図形置換処理部２によって、２１個の領域３０１〜３２１は、１４個の標準図形４０１〜４０９、４１４、４１６、４１８、４２０、４２１に置換される。
図形置換処理部２は、各標準図形４０１〜４０９、４１４、４１６、４１８、４２０、４２１の左上の画素を基準点として特定し、各基準点の座標位置（Ｘ座標及びＹ座標）を算出するとともに、上記各標準図形の総画素数（例えば、標準図形４０１は３７７６画素）をそれぞれ算出して、図５に示す標準図形一覧データを作成する。
【００２２】
表示属性設定部３は、下記式１に従って各領域３０１〜３０９、３１４、３１６、３１８、３２０、３２１毎に平均色を算出する。
【数１】
0004055407.tif 000002
但し、ｉは領域内の画素を特定する変数、ｋは領域の画素の総数、ｒｉ、ｇｉ、ｂｉは各画素の色情報、ｒavg、ｇavg、ｂavgは平均色の色情報を表わす。
【００２３】
表示属性設定部３は、各領域３０１〜３０９、３１４、３１６、３１８、３２０、３２１についてそれぞれ算出された平均色の色情報（ＲＧＢ値）、対応する標準図形４０１〜４０９、４１４、４１６、４１８、４２０、４２１の表示属性として前述の標準図形一覧データ（図５）に保存する。
【００２４】
次に、図形順序付け制御部４は、各標準図形４０１〜４０９、４１４、４１６、４１８、４２０、４２１に対し、前記標準図形一覧データに従って総画素数（＝標準図形の面積）の大きい順に表示順序番号を付与し、前述の標準図形一覧データ（図５）に保存する。図６は、各標準図形に表示順序番号１〜１４を付与した結果を示した模式図である。
ここで、総画素数が同一の標準図形が複数ある場合には、当該図形順序付け制御部４において番号付与処理を行った順に表示順序番号を付与する。
【００２５】
図形順序付け制御部４は、上記の通り作成された標準図形一覧データから、各標準図形の表示に必要な情報のみを抽出して「変換図形データ」を作成する。
ここで、標準図形一覧データのうち各標準図形４０１〜４０９、４１４、４１６、４１８、４２０、４２１の表示に必要な情報は「表示順序番号」「基準点Ｘ座標」「基準点Ｙ座標」「幅」「高さ」「Ｒ値」「Ｇ値」「Ｂ値」の８つであるから、これらを各々８ビット長のデータで表現すると、１つの標準図形に関する情報（１レコード）の情報長は６４ビット（＝８ビット×８）となる。
従って、全１４個の標準図形を表現するために必要な変換図形データのデータ量は８９６ビット（＝６４ビット×１４）となり、前述の原画像データの総データ量（９０６２４ビット）と比較して大幅に削減される。
【００２６】
変換図形データに従い、表示順序番号が小さい標準図形が、表示順序番号の大きな標準図形の背景として表示されるように、各標準図形を表示順序番号が小さいものから大きいものへと順に手前に重ねて表示すると、図７に示されるように模式的な画像が得られる。このような、前後の重ね合わせ関係を有する複数の標準図形の表示は、例えば３次元グラフィック機能や他の標準的な描画機能を用いて実現される。
【００２７】
以上の通り、本実施の形態１の画像変換装置によれば、原画像データの対象画像をクラスタリング処理により複数の領域に分割し、各領域を標準図形でそれぞれ置換して、各標準図形の色情報を算出し、総画素数に基づいて各標準図形に表示順序番号を付与し、変換図形データを作成することにより、画像表示に要するデータ量を大幅に削減して記憶容量を少なくすることができる。
また、クラスタリング処理された分割領域に基づいて標準図形への置換処理を行っているため、データ量の大幅な削減にも拘わらず、例えば携帯情報端末等の小さな表示画面上でも把握が容易な模式的画像を、簡単な演算処理で得ることができる。
【００２８】
なお、実施の形態１において、図形置換処理部２は分割された各領域を矩形の標準図形に置換したが、標準図形の形状は矩形に限定されるものではなく、注目対象の領域を近似可能な他の多角形や円形等、他の形状の標準図形で各領域を置換するような構成であってもよく、各領域毎に形状が異なる標準図形で置換するような構成であってもよい。このような場合には、前記変換図形データに「標準図形の形状」に関する情報が追加される。
【００２９】
また、表示属性設定部３は、標準図形の表示属性として設定される色情報として、対応する領域に含まれる各画素のＲＧＢ値の平均色を算出したが、色情報の算出はこのような方法に限定されるものではなく、例えば、ＲＧＢ値で表わされた各画素の色情報をＨＶＣ値（マンセル色空間）に変換しその平均値を算出する方法であっても同様の効果を得ることは当然に可能である。
また、各画素の色情報の平均値に代えて、領域内の各画素の色情報の中間値や最頻値を、標準図形の色情報として用いる方法であってもよい。
【００３０】
さらに、表示属性設定部３は、各領域について算出された平均色の色情報（ＲＧＢ値）を対応する標準図形の表示属性としたが、表示属性設定部３によって設定される表示属性は色情報に限定されるものではなく、網掛けやハッチング等の表示パターンに関する情報であってもよい。
【００３１】
また、図形順序付け制御部４は、標準図形一覧データから各標準図形の表示に必要な情報として「表示順序番号」「基準点Ｘ座標」「基準点Ｙ座標」「幅」「高さ」「Ｒ値」「Ｇ値」「Ｂ値」の８つの情報を抽出し、各標準図形のレコードを生成して変形画像データを作成したが、各標準図形のレコードを表示順序番号順に配列させて変換図形データを作成し、画像を表示する際に、変換図形データに記録されたレコード順に各標準図形を表示するような構成とすることで、各標準図形の表示に必要な前記８つの情報から「表示順序番号」を削減することができ、変換図形データのデータ量を一層削減することができる。
【００３２】
実施の形態２．
図８は、本実施の形態２の画像伝送システムの構成図である。図８において、１０は伝送対象の原画像データを入力し変換図形データに変換する画像変換制御部、１１は送信先の下記携帯情報端末１４に対して変形図形データの送信制御を行う図形データ送信処理部、１２は画像変換制御部１０及び図形データ送信処理部１１から構成され画像データの送信管理を行う画像管理装置、１３は携帯情報端末１４や他の端末（図８中に図示せず）と無線通信回線を接続してデータ伝送を行う通信制御装置である。
なお、画像変換制御部１０は前述の実施の形態１の画像変換装置に相当し、画像管理装置１２は画像変換制御部１０をサブシステムとして内部に備える。画像変換制御部１０の構成及び動作は前述の実施の形態１の画像変換装置と同様であるため、同一の構成には同一の符号を付して説明を省略する。
【００３３】
また、１４は変換図形データを受信し表示処理を行う、携帯電話、ＰＤＡ（Personal Digital Assistant）、ノート型パーソナルコンピュータ等の携帯情報端末、１５は前記図形データ送信処理部１１との間で変換図形データの伝送制御を行う図形データ受信処理部、１６は変換図形データを基に模式的な画像を生成しディスプレイ１７に表示させる図形表示制御部である。
【００３４】
以下で、本実施の形態２の画像伝送システムの動作について説明する。例えば前述の図２に示されたような伝送対象の原画像データは、画像管理装置１２の画像変換制御部１０に入力され、前記実施の形態１と同一の方法により変換図形データに変換される。
【００３５】
次に、図形データ送信処理部１１は前記変換図形データの送信先の携帯情報端末１４を指定して、通信制御装置１３に対し無線通信回線の接続を要求する。通信制御装置１３と携帯情報端末１４との間で無線通信回線が接続されると、図形データ送信処理部１１は、図形データ受信処理部１５との間で誤り制御やフロー制御を行い、前記変換図形データの転送を行う。図形データ受信処理部１５は、受信された変換図形データを図形表示制御部１６に対して出力する。
【００３６】
図形表示制御部１６は、前記変換図形データに従い、表示順序番号が小さい標準図形が、表示順序番号の大きな標準図形の背景として表示されるように、各標準図形を表示順序番号が小さいものから大きいものへと順に手前に重ねてディスプレイ１７上に表示する。その結果、ディスプレイ１７上には、例えば前述の図７に示されたような模式的な画像が表示される。
このような、前後の重ね合わせ関係を有する複数の標準図形の表示は、例えば３次元グラフィック機能や他の標準的な描画機能を用いて実現される。
【００３７】
以上の通り、本実施の形態２の画像伝送システムによれば、画像管理装置１２の画像変換処理部１０において原画像データに基づき変換図形データを生成し、データ量を大幅に削減した上で携帯情報端末１４に伝送し、ディスプレイ１７上に表示させる。したがって携帯情報端末１４における画像データの記憶容量を削減することができる。
また、データ量の大幅な削減にも拘わらず、携帯情報端末の小さなディスプレイでも把握が容易な模式的画像を、簡単な演算処理で表示させることができる。
【００３８】
【発明の効果】
以上のように、この発明の画像変換装置によれば、対象の画像データを複数の領域に分割する領域分割手段と、分割された領域を図形データに置換する図形置換手段と、この図形データに対して表示属性を設定する表示属性設定手段と、さらにこの図形データに対して順序付けを行う図形順序付け手段を備えたことにより、画像の表示に必要な記憶容量を少なくすることができるという効果がある。
【００３９】
また、この発明の画像表示システムによれば、画像管理装置において、画像データを複数の領域に分割する領域分割手段と、分割された領域を図形データに置換する図形置換手段と、この図形データに対して表示属性を設定する表示属性設定手段と、さらにこの図形データに対して順序付けを行う図形順序付け手段と、この図形データを端末に送信する図形送信手段を備え、端末において、画像管理装置から送信された図形データを受信する図形受信手段と、この図形データをディスプレイに表示する図形表示手段を備えたことにより、端末における画像の表示に必要な記憶容量を少なくすることができるという効果がある。
【００４０】
【発明の効果】
以上の通り、本発明によれば、原画像データの対象画像を所定の方法により複数の領域に分割し、各領域を標準図形でそれぞれ置換して、各標準図形に表示属性を設定し、各標準図形に表示順序番号を付与して変換図形データを作成することにより、画像表示に要するデータ量を大幅に削減し記憶容量を少なくすることができる、といった効果を奏する。
【００４１】
また次の発明によれば、画像管理装置において原画像データを変換図形データに変換しデータ量を大幅に削減した上で、端末に伝送し所定の方法で前記各標準図形を表示することにより、端末の記憶容量を削減できるとともに、携帯情報端末等の小さなディスプレイ上でも把握が容易な模式的画像を得ることができる、といった効果を奏する。
【図面の簡単な説明】
【図１】  本発明の実施の形態１の画像変換装置の構成図である。
【図２】  本発明の原画像データの例を示した説明図である。
【図３】  本発明の領域分割処理部による領域分割の結果を示した模式図である。
【図４】  本発明の図形置換処理部によって置換処理された各標準図形を示した模式図である。
【図５】  本発明の標準図形一覧データの例を示した説明図である。
【図６】  本発明の図形順序付け制御部によって表示順序番号が付与された各標準図形を示した模式図である。
【図７】  本発明の変換図形データに基づいて作成された模式的な画像を示した説明図である。
【図８】  本発明の実施の形態２の画像伝送システムの構成図である。
【符号の説明】
１  領域分割処理部
２  図形置換処理部
３  表示属性設定部
４  図形順序付け制御部
１０  画像変換装置
１１  図形データ送信処理部
１２  画像管理装置
１３  通信制御装置
１４  携帯情報端末
１５  図形データ受信処理部
１６  図形表示制御部
１７  ディスプレイ
３０１〜３２１  分割された領域
４０１〜４０９、４１４、４１６、４１８、４２０、４２１  標準図形
【図１】
0004055407.tif 000003
【図２】
0004055407.tif 000004
【図３】
0004055407.tif 000005
【図４】
0004055407.tif 000006
【図５】
0004055407.tif 000007
【図６】
0004055407.tif 000008
【図７】
0004055407.tif 000009
【図８】
0004055407.tif 000010